(57)【要約】【課題】ユーザがデータを閲覧する際に，閲覧データに関連するサービス情報を提供するサービス情報提供方法に関し，ユーザおよびサービス提供者に好ましい適切なサービス情報を選別して提供できるようにする。【解決手段】ユーザ端末１０は，ユーザのデータ参照要求１００をデータ管理部１４へ送る。データ管理部１４は，データ記憶部１５からデータ１０１と付帯する位置情報１０２を読み出し，それらをサービス情報フィルタリング部１２に送る。サービス情報フィルタリング部１２は，データ１０１の内容と付帯する位置情報１０２とを組み合わせてキー情報とし，サービス情報提供部１３から受け取ったサービス情報１０３をフィルタリングし，データ１０１とフィルタリング済サービス情報１０４とをユーザ端末１０に送る。ユーザ端末１０は，それらの情報（１０１，１０４）をユーザに提示する。【選択図】　　　　　図１
2004078385.tif 000002
【特許請求の範囲】
【請求項１】
ユーザがユーザ端末でデータを閲覧する場合において，前記ユーザが閲覧しようとするデータに関連するサービス情報をも同時に提供するためのサービス情報提供方法であって，
前記データの閲覧を要求する過程と，
前記閲覧対象のデータを取得すると共に，前記データに付帯情報としてあらかじめ記録されている前記データに関連する位置情報を取得する過程と，
前記データの内容と前記位置情報とを組み合わせてフィルタリングのキー情報とする過程と，
前記キー情報を用いてサービス提供者が提供するサービス情報をフィルタリングし，ユーザに提供するサービス情報を選択する過程と，
前記選択したサービス情報を，前記データと共にユーザに提示する過程とを有する
ことを特徴とするサービス情報提供方法。
【請求項２】
請求項１に記載のサービス情報提供方法において，
前記位置情報を取得する過程では，さらに前記データに付帯情報としてあらかじめ記録されている前記位置情報以外の付帯情報も取得し，
前記フィルタリングのキー情報として，取得した前記位置情報以外の付帯情報も用いる
ことを特徴とするサービス情報提供方法。
【請求項３】
請求項１または請求項２に記載のサービス情報提供方法において，
前記データの閲覧時におけるユーザ端末の現在の位置情報を取得する過程を有し，
前記フィルタリングのキー情報として，さらに前記現在の位置情報も用いることを特徴とするサービス情報提供方法。
【発明の詳細な説明】
【０００１】
【発明の属する技術分野】
本発明は，サービス情報提供方法に関し，人工衛星からの電波を受信して位置を測定するＧＰＳ（Ｇｌｏｂａｌ　Ｐｏｓｉｔｉｏｎｉｎｇ　Ｓｙｓｔｅｍ　），基地局からの電波を用いて位置を測定する携帯電話やＰＨＳ，慣性を利用して位置を測定する装置，地磁気を利用する方位計測装置など，各種の位置測定機能を活用し，様々なデータを記憶装置に記録する際に，そのデータが作成・更新・参照された場所や端末の方位などを示す過去の位置情報を付帯して記録したデータを利用することによって，サービス情報を提供する技術に関するものである。
【０００２】
【従来の技術】
位置測定装置の小型化・低価格化が急速に進んでいることにより，一般消費者が使う携帯電子機器などに位置測定機能を搭載することが可能となってきている。このような位置測定機能付きの携帯端末を用い，ユーザの現在位置を取得して，その現在位置に関連した情報サービスを行う技術が実用化されている。
【０００３】
また，携帯電子機器などを用いて取得・作成したデータに位置情報を付帯して記録する手法もすでに提案されている。また，カー・ナビゲーションシステムにおいて，過去の運転履歴などを記録・分析して画面に表示する技術もすでに存在する。
【０００４】
図１３は，従来の技術におけるサービス情報提供方法の例を説明する図である。図１３（Ａ）は，ユーザの現在位置の画面表示例を示している。例えば，位置測定機能付きの携帯端末やカー・ナビゲーションシステムなどを利用しているユーザは，図１３（Ａ）に示すような表示画面の地図上で現在位置を確認することができる。
【０００５】
図１３（Ｂ）は，従来の技術によるユーザの現在位置をもとにしたサービス情報の画面表示例を示している。例えば，位置測定機能付きの携帯端末やカー・ナビゲーションシステムなどを利用しているユーザが，図１３（Ａ）の表示画面のように現在位置を地図上に表示する場合に，その現在位置の近辺にあるサービス情報を，図１３（Ｂ）の表示画面のように表示する位置情報利用例はすでに存在している。この例では，現在位置の近辺にある店Ｃの特売情報がサービス情報として表示されている。
【０００６】
【発明が解決しようとする課題】
しかし，上記図１３（Ｂ）に示すようなユーザの現在位置を利用してサービス情報を提示する従来の技術では，現在ユーザがいる場所のサービス情報しか提示することができない。ユーザが情報端末を操作する際には，必ずしも現在位置付近のサービス情報を欲しているとは限らない。ユーザが現在位置ではない位置のサービス情報を得るには，その位置情報を別に入力する必要がある。
【０００７】
また，サービス情報をユーザに提示するために，従来の技術では位置情報だけを利用するため，どのようなサービス情報を提示すべきかを決める基準がない。そのため，ユーザの嗜好などを何らかの別の手段を用いて指定する必要がある。カー・ナビゲーションシステムの技術として，過去のユーザの移動履歴を分析して，ユーザの嗜好情報を抽出するものが提案されているが，この手法も移動履歴という位置情報の集合だけを利用しているために，サービス情報を適切に絞り込むことはできない。
【０００８】
本発明は，上記問題点の解決を図り，ユーザの現在位置ではなく，ユーザが参照しようとする写真や文章や音楽など各種データが作成・変更・参照された場所など，ユーザが過去に作成したデータに付帯して記録されたそのデータに関連する位置情報を活用し，ユーザにとって好ましい適切なサービス情報を提供することを目的とする。
【０００９】
【課題を解決するための手段】
本発明は，上記課題を解決するため，過去に記録したデータに付帯されたそのデータに関連する位置情報（そのデータを作成，参照または変更した過去の時点の位置情報）を，そのデータ自身の属性情報としてだけではなく，別の情報をフィルタリングするためのキー情報として活用し，そのデータに付帯された位置情報と，写真や文章や音楽などの閲覧データ自身の情報（データの内容）とを組み合わせて，広告などのサービス情報をフィルタリングすることを特徴とする。
【００１０】
これは，ユーザが位置情報を付帯したデータを参照する際に，データ記録場所からユーザ端末へデータを送信する途中で，そのデータの内容に加えそのデータに付帯する位置情報を用い，第三者のサービス提供者が提供している商品やサービス等の情報（サービス情報）をフィルタリングし，適合した商品やサービス等の情報（フィルタリング済サービス情報）をユーザが参照要求したデータと共にユーザ端末に送信することによって，ユーザの利便性を図ると共に第三者のサービス提供者の利益にもつなげる手段である。
【００１１】
このため，ユーザに対する商品・サービス等の情報（広告など）を提供しようとするサービス提供者の側も，ユーザが参照要求したデータに付帯する位置情報によるフィルタリングが可能となる形式で，各種のサービス情報を提供する。
【００１２】
このようなサービス情報のフィルタリングでは，例えば，ユーザがデータを参照するためにデータ記録装置と通信する際に，その通信を中継する部分で，ユーザが参照要求したデータに付帯された位置情報とサービス提供者がサービス情報に付帯した位置情報とを比較し，両者の情報が適合したサービス情報をユーザが参照要求したデータと共にユーザ端末へ送信する手段を用いる。
【００１３】
ユーザがあるデータを参照しようとする際に，そのデータに関連するサービス情報が同時に提供されるため，ユーザはそのデータに関連した情報を改めて調べなおす必要がなく，ユーザにとっての利便性が向上する。
【００１４】
また，ユーザが以前に記録したデータを参照する際，そのデータはあくまでも過去に記録した情報であって現在の情報ではない。そこで，本発明によって，サービス提供者がそのユーザが参照しようとした過去のデータに加えて現時点の最新のサービス情報を提供することによって，最新のデータを自動的に参照できると共に，現在のサービス情報と過去のデータとの比較を行うこともでき，ユーザの利便性が図れる。
【００１５】
サービス提供者の側からみると，従来は，ユーザに対しての商品やサービスの情報（広告など）を提供しようとしても，ユーザがその情報を受け入れることができる適切な時点に，適切なサービス情報を提供することが困難であった。本発明により，ユーザがデータの参照を求める時点で，そのデータに関連するサービス情報を提供することが可能となるので，従来のように無闇に情報を提供する場合に比べて，そのサービス情報の情報価値（広告効果）が向上する。
【００１６】
次に，本発明は，上記課題を解決するため，サービス提供者が提供するサービス情報をフィルタリングする際のフィルタリング情報として，上記のようなユーザが参照要求したデータに付帯する位置情報を用いるだけでなく，位置情報以外の各種付帯情報をも用いて，よりきめ細かい情報フィルタリングを行うことを特徴とする。
【００１７】
このため，例えば，ユーザが参照要求したデータに付帯する位置情報と，各種付帯情報である時間情報とを組み合わせて用いることによって，特定の位置と時間に関連するサービス情報をフィルタリングし，そのフィルタリング済サービス情報をユーザに提供することが可能となる。
【００１８】
また，データが作成された際に，そのデータに各種付帯情報としてバーコード画像などが付帯していた場合には，そのバーコード画像でデータの内容を絞り込むことができ，そのバーコード情報と位置情報の組み合わせで，ユーザに提示すべきサービス情報をより細かく絞り込むことが可能となる。
【００１９】
例えば，ユーザがある商品のデータを記録する際に，ユーザ端末内蔵のデジタルカメラ機能などを用いて商品のバーコードを撮影し，そのバーコード画像をデータに付帯して記録する。そして，後日その商品のデータをユーザが参照する際に，そのバーコード画像から商品の内容を特定し，そのデータを記録したときの位置情報から商店などを特定し，それら両者の情報から，その商店で扱われているその商品の現時点の価格を提供したり，あるいは，競合店・競合商品等の情報を提供したりするなどの応用が可能となる。
【００２０】
また，データを記録する際に，そのデータに関連するサービス情報提供者を特定する情報を付帯情報として記録することにより，後にそのデータを参照する際に，そのサービス情報提供者を特定する情報でサービス情報をフィルタリングすることが可能となり，参照するデータと共にユーザに関連情報として提供されるフィルタリング済サービス情報を，よりユーザの望むものに絞り込むことが可能となる。
【００２１】
また，関連するサービス情報の表示を望まないデータには，それを示す情報（関連するサービス提供者を“なし”とする情報）を各種付帯情報としてデータと共に記録することによって，そのデータの参照時にサービス情報が自動的には提供されなくなり，ユーザが期待しないサービス情報の提供を抑制することが可能となる。この情報はデータを記録する際にだけではなく，記録した後の任意の時点で変更できるようにすることも可能である。
【００２２】
また，例えば，ユーザが参照希望したデータに付帯する各種付帯情報として，データの作成者など，そのデータに関連する人の情報を用い，それらの情報とユーザが参照希望したデータに付帯する位置情報とを組み合わせて，サービス情報をフィルタリングすることも可能である。
【００２３】
このように，データに付帯する位置情報と各種付帯情報とを組み合わせてサービス情報をフィルタリングし，両者に適合するサービス情報を抽出することによって，ユーザに提供すべきサービス情報をより限定的に絞り込むことが可能となり，ユーザにとっての利便性の向上や，サービス情報提供者とっての広告効果の向上が図れるようになる。
【００２４】
さらに，本発明は，上記課題を解決するため，ユーザ端末に内蔵あるいは接続された位置測定装置を用いて測定したユーザ端末の現在位置情報と，ユーザが参照しようとするデータに付帯された位置情報とを組み合わせて，第三者が提供するサービス情報をフィルタリングし，そのフィルタリング済サービス情報を参照するデータと共にユーザに提供することを特徴とする。なお，ユーザの現在位置情報は，他の手段で取得したユーザの現在位置情報をユーザが入力するようにしてもよい。
【００２５】
実際に，ユーザがユーザ端末を操作している現在位置と，ユーザが参照しようとするデータの内容には相関性がある場合が多いと考えられる。例えば，ある商店Ａの中で，過去に行った別の商店Ｂの記録を呼び出して商品やサービスの比較検討をおこなうような例が考えられる。この場合，ユーザの現在位置情報（商店Ａの位置情報）と参照しようとするデータに付帯する位置情報（商店Ｂの位置情報）の両者に関連するサービス情報をユーザに提供することによって，ユーザの利便性をさらに向上させることが可能となる。
【００２６】
また，データの内容から商店のジャンルなどを抽出することによって競合店Ｃの紹介サービスを提供したり，商店Ａと商店Ｂが共通して扱っている商品・サービスの比較情報を提供する，あるいはそれらの商店よりも有利な商品・サービスの情報を提供するなどの応用が可能である。あるいは，ユーザが現在いる地域で，ユーザが参照しようとしたデータの位置情報の商店（商店Ｂ）と同じジャンルの商品・サービスを提供している商店Ｄを紹介する応用も可能である。
【００２７】
また，あらかじめある位置情報（自宅の位置の位置情報など）を登録しておき，現在のユーザ端末の位置情報ではなく，そのあらかじめ登録された位置情報を使ってサービス情報の絞り込みを行うことも可能である。
【００２８】
【発明の実施の形態】
以下，図面に従って本発明の実施の形態を説明する。
【００２９】
〔実施の形態１〕
図１は，本実施の形態１におけるサービス情報提供システムの構成例を示す図である。サービス情報提供システム１は，ユーザ端末１０，端末通信部１１，サービス情報フィルタリング部１２，サービス情報提供部１３，データ管理部１４，データ記憶部１５から構成される。以下，本実施の形態１について各構成を説明する。
【００３０】
ユーザは，ユーザ端末１０により，過去に自分が作成したデータ１０１の参照をするため，データ参照要求１００を，無線または有線の電話網，あるいはインターネット等のネットワークによる通信手段を用いる端末通信部１１を介してデータ管理部１４に送信する。また，ユーザ端末１０は，端末通信部１１からデータ１０１とフィルタリング済サービス情報１０４を受け取り，それらを表示することができる。
【００３１】
データ１０１の参照要求の方法として，例えば以下のような方法がある。もちろん，本発明は，以下の方法に限られるわけではない。
（１）ユーザ端末１０のキー操作などにより，データ１０１のファイル名を指定する（ファイル名でデータ参照要求１００を出す）。
（２）過去に記録したデータ１０１の一覧情報を表示させ，一覧情報の中からメニュー方式により選択する。
（３）携帯電話（ユーザ端末１０）の液晶ディスプレイ画面に地図を表示し，上下左右のスクロール操作や拡大縮小の操作などを行って過去に自分がデータ１０１を作成した地点を画面中央に表示し，データ参照要求ボタンを押すことにより，地図上のその地点で作成したデータ１０１の参照要求をする。
【００３２】
端末通信部１１は，ユーザ端末１０からのデータ参照要求１００を受け，データ管理部１４にデータ１０１を取得するように指示を出す。また，サービス情報フィルタリング部１２からユーザが参照要求したデータ１０１とそのデータ１０１に関連するフィルタリング済サービス情報１０４を受信し，それをユーザ端末１０に送信する。
【００３３】
サービス情報フィルタリング部１２は，データ１０１と付帯する位置情報１０２とをデータ管理部１４から受信し，そのデータ１０１の内容と付帯する位置情報１０２とをキー情報として用いてサービス情報提供部１３が提供するサービス情報１０３をフィルタリングし，そのフィルタリング済サービス情報１０４をデータ１０１と共に端末通信部１１に送信する。第三者であるサービス提供者のサービス情報提供部１３は，様々なサービス情報１０３を提供する。
【００３４】
図２は，本実施の形態１におけるサービス情報の例を示す図である。図２の例では，各商店の企業名，店舗名（支店名），位置情報，商品名（広告商品），商品価格，商品仕様，特売情報などの情報が記録されている。例えば，インターネットでサービス情報１０３を提供する事業者などは，このようなサービス情報１０３を多数保有し，サービス情報フィルタリング部１２においてユーザが過去に記録したデータ１０１に付帯する位置情報１０２などでフィルタリングすることにより，ユーザに最適なサービス情報（フィルタリング済サービス情報１０４）を提供することができる。
【００３５】
ここで，フィルタリングとは，位置が近い，商品名が類似しているなどの情報の適合度や関連度に応じて，情報を取捨選択することをいう。このような情報の適合度，関連度は，例えば何メートル以内なら何ポイントというようにあらかじめ各種の評価ポイントを定めておき，その評価ポイントを計算することによって算出することができる。
【００３６】
データ管理部１４は，データ記憶部１５からユーザが求めるデータ１０１とそれに付帯する位置情報１０２とを取得し，サービス情報フィルタリング部１２へ送信する。データ記憶部１５は，位置情報１０２を付帯した様々なデータ１０１を格納している。
【００３７】
この例では，データ管理部１４およびデータ記憶部１５は，インターネットの接続先である外部サーバに設けられているが，ユーザ端末１０内にあってもよいし，ユーザ端末１０が携帯型の機器である場合に，ユーザ端末１０とは別の自宅のパソコンなどにあってもよい。後述する他の実施の形態も同様である。
【００３８】
図３は，本実施の形態１におけるデータとデータに付帯する位置情報の例を示す図である。図３（Ａ）に示すように，写真などの画像，文書，表，音声など様々なデータ１０１と，付帯するデータ１０１を作成した場所の位置情報１０２とは，１対１で対応している。このような，データ１０１と付帯する位置情報１０２はデータ記憶部１５に記録される。
【００３９】
図３（Ｂ）は，データ１０１の本体に対応する位置情報１０２として，データ１０１を作成した場所の位置情報１０２ａばかりではなく，データ１０１を最後に参照した場所の位置情報１０２ｂ，データ１０１を最後に更新した場所の位置情報１０２ｃをも記録した例である。サービス情報１０３をフィルタリングするときに，これらのどの位置情報１０２を使うかは，それぞれのサービス情報提供システム１のサービス情報フィルタリング部１２による。位置情報１０２ａ，１０２ｂ，１０２ｃのどれか一つを選択してフィルタリングしてもよいし，すべての位置情報１０２を使ってフィルタリングしてもよい。
【００４０】
このような構成によって，ユーザ端末１０からのデータ参照要求１００に応じて，その要求されたデータ１０１をデータ記憶部１５から取り出してユーザに提示する際に，要求されたデータ１０１をユーザ端末１０に送信する通常の経路の端末通信部１１とデータ管理部１４の間にサービス情報フィルタリング部１２を設けることにより，そのサービス情報フィルタリング部１２で，ユーザが要求したデータ１０１に付帯された位置情報１０２とデータ１０１の内容とをキー情報として用いて，第三者のサービス情報提供部１３が提供している各種サービス情報１０３をフィルタリングする。これによって，データ１０１の内容および位置情報１０２に関連した適切なサービス情報１０３を選択し，その選択されたサービス情報（フィルタリング済サービス情報１０４）をユーザが要求したデータ１０１と共にユーザ端末１０に送信して提示することができる。
【００４１】
図４は，本実施の形態１におけるユーザがデータを参照している画面の例を示す図である。図４（Ａ）が示すようにユーザの現在位置は東京付近であるが，画面上には新宿付近の店Ａのデータ１０１が表示されている。図４（Ａ）に表示されている店Ａのデータ１０１は過去にユーザが作成し，位置情報１０２を付加して記録したデータ１０１であり，ユーザはそのデータ１０１を自由に表示し，閲覧することが可能である。
【００４２】
しかし，この場合に表示されるデータ１０１はあくまで過去の情報であり，ユーザが真に必要としているのは現在の情報である場合が多いと思われる。そこで，本実施の形態１のサービス情報提供システム１を利用することにより，過去のデータ１０１およびその付帯情報である位置情報１０２を用いて多数のサービス情報１０３をフィルタリングし，ユーザが参照しようとした過去のデータ１０１に関連する現在のサービス情報（フィルタリング済サービス情報１０４）をユーザに提供することが可能となる。
【００４３】
図４（Ｂ）の画面例では，ユーザが記録した店Ａに関する過去のデータ１０１を用い，そのデータ１０１に付帯する位置情報１０２とそのデータ１０１に含まれる商品情報（データ１０１の内容）の組み合わせを用いて，店Ａの現在のサービス情報（フィルタリング済サービス情報１０４）をフィルタリングにより抽出して画面に表示している。さらに，そのデータ１０１に含まれる商品情報（データ１０１の内容）を用いて，店Ａの類似店である店Ｂの現在のサービス情報（フィルタリング済サービス情報１０４）も抽出し，画面に表示している。
【００４４】
以上のように，ユーザの参照しようとするデータ１０１に付帯する過去の位置情報１０２をもとに，サービス情報１０３をフィルタリングすることによって，ユーザの現在位置とは関係なく，ユーザが必要とするサービス情報１０３を適切にフィルタリングして提示することが可能となる。
【００４５】
〔実施の形態２〕
図５は，本実施の形態２におけるサービス情報提供システムの構成例を示す図である。サービス情報提供システム２は，ユーザ端末２０，端末通信部２１，サービス情報フィルタリング部２２，サービス情報提供部２３，データ管理部２４，データ記憶部２５から構成される。前述の実施の形態１と，ほぼ同じ構成となっている。
【００４６】
前述の実施の形態１と本実施の形態２との違いは，データ記憶部２５に記録されているデータ２０１に，位置情報２０２以外の情報（各種付帯情報）２０５も同時に付帯されており，データ管理部２４を通してサービス情報フィルタリング部２２にデータ２０１を送る際に，位置情報２０２と共に各種付帯情報２０５をも送ることである。また，サービス情報フィルタリング部２２では，位置情報２０２だけではなく，各種付帯情報２０５をも利用して，サービス情報２０３をフィルタリングする。以下，本実施の形態２の各構成について説明する。
【００４７】
ユーザは，ユーザ端末２０により，過去に自分が作成したデータ２０１の参照をするため，データ参照要求２００を端末通信部２１を介してデータ管理部２４に送信する。また，ユーザ端末２０は，端末通信部２１からデータ２０１とフィルタリング済サービス情報２０４とを受け取り，それらを表示する。
【００４８】
データ２０１の参照要求の方法として，例えば，以下のような方法がある。
（１）ユーザ端末２０のキー操作などにより，データ２０１のファイル名を指定する（ファイル名でデータ参照要求２００を出す）。
（２）過去に記録したデータ２０１の一覧情報を表示させ，一覧情報の中からメニュー方式により選択する。
（３）携帯電話（ユーザ端末２０）の液晶ディスプレイ画面に地図を表示し，上下左右のスクロール操作や拡大縮小の操作などを行って過去に自分がデータ２０１を作成した地点を画面中央に表示し，データ参照要求ボタンを押すことにより，地図上のその地点で作成したデータ２０１の参照要求をする。
（４）データ２０１を作成した時刻を指定することによって，データ２０１の参照要求を行う。
【００４９】
端末通信部２１は，ユーザ端末２０からのデータ参照要求２００を受け，データ管理部２４にデータ２０１を取得するように指示を出す。また，サービス情報フィルタリング部２２からユーザが参照要求したデータ２０１とそのデータ２０１に関連するフィルタリング済サービス情報２０４を受信し，それをユーザ端末２０に送信する。
【００５０】
サービス情報フィルタリング部２２は，データ２０１と付帯する位置情報２０２および各種付帯情報２０５とをデータ管理部２４から受信し，そのデータ２０１の内容と付帯する位置情報２０２および各種付帯情報２０５をキー情報として用いてサービス情報提供部２３が提供するサービス情報２０３をフィルタリングし，そのフィルタリング済サービス情報２０４をデータ２０１と共に端末通信部２１に送信する。第三者であるサービス提供者のサービス情報提供部２３は，様々なサービス情報２０３を提供する。
【００５１】
データ管理部２４は，データ記憶部２５からユーザが求めるデータ２０１とそれに付帯する位置情報２０２および各種付帯情報２０５とを取得し，サービス情報フィルタリング部２２へ送信する。データ記憶部２５は，位置情報２０２および各種付帯情報２０５を付帯した様々なデータ２０１を格納する。ここで，例えば，データ記憶部２５は，ユーザ端末２０内にあってもよいし，外部サーバ（インターネットの接続先）などにあってもよく，また，ユーザ端末２０とは別の自宅のパソコンなどにあってもよい。
【００５２】
図６は，本実施の形態２におけるデータとデータに付帯する位置情報および各種付帯情報の例を示す図である。図６（Ａ）では，データ２０１に付帯する情報として，データ２０１を作成した場所の位置情報２０２のほかに，データ２０１を作成したときの時刻情報（各種付帯情報２０５）が記録されている。
【００５３】
図６（Ｂ）では，データ２０１に付帯する情報として，データ２０１を作成した場所の位置情報２０２のほかに，データ２０１に関連する商品名（各種付帯情報２０５）が記録されている。データ２０１に関連する商品名の入力に関しては，ユーザ自身が商品名を入力しなくとも，バーコードによる認識，写真画像からの認識，音声認識などの従来の自動化技術によって自動的に商品名を取得し，データ２０１の付帯情報として記録する応用も考えられる。
【００５４】
以上のように構成することによって，本実施の形態２では，前述の実施の形態１のように位置情報だけではフィルタリングが不十分であった場合に，各種付帯情報を併用することによってさらに詳細なサービス情報フィルタリングを行うことが可能となり，データの内容に関連したより適切なサービス情報をユーザに提供することが可能となる。
【００５５】
〔実施の形態３〕
図７は，本実施の形態３におけるサービス情報提供システムの構成例を示す図である。サービス情報提供システム３は，ユーザ端末３０，端末通信部３１，サービス情報フィルタリング部３２，サービス情報提供部３３，データ管理部３４，データ記憶部３５，位置測定装置３６から構成される。前述の実施の形態１に，位置測定装置３６が加わった構成となる。
【００５６】
前述の実施の形態１と本実施の形態３との違いは，位置測定装置３６で測定したユーザ端末３０の現在位置情報３０６が，端末通信部３１を通してサービス情報フィルタリング部３２に送られることである。また，サービス情報フィルタリング部３２では，データ記憶部３５からデータ管理部３４を通して送られるデータ３０１に付帯する位置情報３０２だけではなく，ユーザ端末３０の現在位置情報３０６をも利用して，サービス情報３０３をフィルタリングする。以下，本実施の形態３の各構成について説明する。
【００５７】
ユーザは，ユーザ端末３０により，過去に自分が作成したデータ３０１の参照をするため，データ参照要求３００を端末通信部３１を介してデータ管理部３４に送信する。また，ユーザ端末３０は，端末通信部３１からデータ３０１とフィルタリング済サービス情報３０４を受け取り，それらを表示する。
【００５８】
データ３０１の参照要求の方法として，例えば，以下のような方法がある。
（１）ユーザ端末３０のキー操作などにより，データ３０１のファイル名を指定する（ファイル名でデータ参照要求３００を出す）。
（２）過去に記録したデータ３０１の一覧情報を表示させ，一覧情報の中からメニュー方式により選択する。
（３）携帯電話（ユーザ端末３０）の液晶ディスプレイ画面に地図を表示し，上下左右のスクロール操作や拡大縮小の操作などを行って過去に自分がデータ３０１を作成した地点を画面中央に表示し，データ参照要求ボタンを押すことにより，地図上のその地点で作成したデータ３０１の参照要求をする。
【００５９】
端末通信部３１は，ユーザ端末３０からのデータ参照要求３００を受け，データ管理部３４にデータ３０１を取得するように指示を出す。また，位置測定装置３６が測定したユーザ端末３０の現在位置情報３０６をサービス情報フィルタリング部３２に送る。また，サービス情報フィルタリング部３２からユーザが参照要求したデータ３０１とそのデータ３０１に関連するフィルタリング済サービス情報３０４を受信し，それをユーザ端末３０に送信する。
【００６０】
サービス情報フィルタリング部３２は，ユーザ端末３０の現在位置情報３０６を端末通信部３１から受信し，データ３０１と付帯する位置情報３０２とをデータ管理部３４から受信し，そのデータ３０１の内容と付帯する位置情報３０２とユーザ端末３０の現在位置情報３０６とをキー情報として用いて，サービス情報提供部３３が提供するサービス情報３０３をフィルタリングし，そのフィルタリング済サービス情報３０４をデータ３０１と共に端末通信部３１に送信する。第三者であるサービス提供者のサービス情報提供部３３は，様々なサービス情報３０３を提供する。
【００６１】
データ管理部３４は，データ記憶部３５からユーザが求めるデータ３０１とそれに付帯する位置情報３０２とを取得し，サービス情報フィルタリング部３２へ送信する。データ記憶部３５は，位置情報３０２を付帯した様々なデータ３０１を格納する。ここで，例えば，データ記憶部３５は，ユーザ端末３０内にあってもよいし，外部サーバ（インターネットの接続先）などにあってもよく，また，ユーザ端末３０とは別の自宅のパソコンなどにあってもよい。
【００６２】
位置測定装置３６は，ユーザ端末３０に内蔵または接続される装置であり，ユーザの現在位置を測定し，その位置情報である現在位置情報３０６をユーザ端末３０を通して端末通信部３１に送信する。
【００６３】
以上のように構成することによって，ユーザ端末３０からのデータ参照要求３００に応じて，サービス情報３０３をデータ３０１に付帯する位置情報３０２と比較してフィルタリングするだけではなく，ユーザ端末３０の現在位置情報３０６をも使ってフィルタリングするので，両者の位置情報（３０２，３０６）に関連したより適切なフィルタリング済サービス情報３０４を，データ３０１と共にユーザ端末３０に送信することが可能となる。
【００６４】
図８は，本実施の形態３におけるユーザがデータを参照している画面の例を示す図である。図８の例では，ユーザが興味をもって参照しようとした店Ａの過去にメモしたデータ３０１の内容とユーザ自身の現在位置情報３０６とを用いて，ユーザが現在いる位置付近において店Ａの類似店である店Ｃの現在のサービス情報３０３をフィルタリングし，店Ａの過去にメモしたデータ３０１と共に画面に表示している。
【００６５】
以上説明した実施の形態１〜３を実現するための装置構成としては，種々のバリエーションが考えられる。
（１）データ管理部，データ記憶部，サービス情報提供部，サービス情報フィルタリング部を，一つの外部サーバとして構成する。
（２）データ管理部，データ記憶部を一つの外部サーバとして構成し，サービス情報提供部，サービス情報フィルタリング部を一つまたは複数の外部サーバとして構成する。
（３）サービス情報フィルタリング部，データ管理部，データ記憶部を一つの外部サーバとして構成し，サービス情報提供部を一つまたは複数の外部サーバとして構成する。
（４）データ管理部，データ記憶部をユーザ端末内に組み込み，サービス情報提供部，サービス情報フィルタリング部を一つまたは複数の外部サーバとして構成する。
【００６６】
以上の各部における処理は，コンピュータとソフトウェアプログラムとによって実現することができ，そのプログラムは，コンピュータが読み取り可能な可搬媒体メモリ，半導体メモリ，ハードディスク等の適当な記録媒体に格納して，そこから読み出すことによりコンピュータに実行させることができる。
【００６７】
【実施例】
〔実施例１〕
本実施例１は，カメラ付き携帯電話（ユーザ端末）を使って過去にある店（店Ａ）で撮影した商品画像（データ）を呼び出し，その商品画像（データ）と共に，その商品画像（データ）に関連したサービス情報が提供され，ユーザ端末に表示される例である。
【００６８】
図９は，本実施例１におけるサービス情報提供の一連の手順を示すフローチャートである。まず，ユーザ端末は，ユーザの指示により地図情報を取得し，その地図を表示する（ステップＳ１０）。例えば，ユーザは，携帯電話（ユーザ端末）の液晶ディスプレイに地図を呼び出す操作をする。ユーザ端末は，地図情報提供サーバなどに地図情報の要求を送り，それに対して地図情報提供サーバは，ユーザ端末に地図情報を送る。地図情報を受け取ったユーザ端末は，液晶ディスプレイ上に地図を表示する。
【００６９】
ユーザは，ユーザ端末で地図上の目的の場所を指定し，ユーザ端末は，その場所の緯度・経度の情報をデータ管理部を介してデータ記憶部に送る（ステップＳ１１）。なお，以下では説明を簡潔にするために，データ管理部を省略して説明する（以下の説明におけるデータ記憶部は，データ管理部の機能を含むものとする）。例えば，ユーザは，携帯電話（ユーザ端末）の十字キーなどの操作により，液晶ディスプレイ上で，地図を上下左右にスクロールしたり，拡大縮小したりして，過去にデータを記録した目的の場所（店Ａ）を指定する。ユーザ端末は，ユーザが液晶ディスプレイ上で指定した場所の緯度・経度の情報をデータ記憶部に送る。
【００７０】
データ記憶部は，ユーザ端末から受け取った緯度・経度の情報から，その場所で作成されたデータを抽出し，抽出されたデータの一覧をユーザ端末に送る（ステップＳ１２）。例えば，データ記憶部は，ユーザ端末から受け取った緯度・経度の情報と，過去にユーザが作成したデータに付帯する位置情報とを比較して，一致するデータを抽出し，その一覧を作成してユーザ端末に送る。
【００７１】
ユーザ端末は，データ記憶部から受け取ったデータの一覧を表示し，その中からユーザが選択したデータの参照要求をデータ記憶部に送る（ステップＳ１３）。例えば，ユーザ端末は，データ記憶部から受け取ったデータの一覧を液晶ディスプレイ上に表示する。ユーザは，キー操作により一覧の中から参照したいデータ（商品映像）を選択する。ユーザ端末は，ユーザが選択した商品映像のデータの参照要求をデータ記憶部に送る。
【００７２】
データ記憶部は，ユーザ端末から受け取ったデータ参照要求に基づき，ユーザが参照を希望するデータとそのデータに付帯する位置情報および各種付帯情報を，データ管理部を経由してサービス情報フィルタリング部に送る（ステップＳ１４）。例えば，データ記憶部は，ユーザ端末から商品映像（データ）の参照要求を受けると，その商品映像（データ）と，商品映像（データ）の作成された場所の位置情報，商品映像（データ）に写っている商品の商品名などを，サービス情報フィルタリング部に送る。
【００７３】
サービス情報フィルタリング部は，データ管理部からデータとそれに付帯する情報とを受け取り，それらを用いてサービス情報提供部から受け取ったサービス情報をフィルタリングする（ステップＳ１５）。例えば，商品映像（データ）に付帯する位置情報から，その位置情報に適合する店Ａが提供するサービス情報を選別する。選別された店Ａが提供するサービス情報を，商品映像（データ）に写っている商品の商品名（各種付帯情報）でフィルタリングし，その商品の現在の情報が記載された店Ａのサービス情報（フィルタリング済サービス情報）を抽出する。同様に，店Ａの競合店（店Ｂ，店Ｃ）が提供するサービス情報を，商品映像（データ）に写っている商品の商品名（各種付帯情報）でフィルタリングし，その商品の現在の情報が記載された店Ｂ，店Ｃのサービス情報（フィルタリング済サービス情報）を抽出する。
【００７４】
サービス情報フィルタリング部は，ユーザが参照を希望するデータとフィルタリング済サービス情報とをユーザ端末に送る（ステップＳ１６）。例えば，サービス情報フィルタリング部は，ユーザが参照を希望する商品映像（データ）とその商品の現在の情報が記載された店Ａのサービス情報（フィルタリング済サービス情報）およびその商品の現在の情報が記載された店Ｂ，店Ｃのサービス情報（フィルタリング済サービス情報）を，ユーザ端末に送る。
【００７５】
ユーザ端末は，サービス情報フィルタリング部から受け取ったユーザが参照を希望するデータとフィルタリング済サービス情報とを表示する（ステップＳ１７）。例えば，ユーザ端末の液晶ディスプレイに，ユーザが参照を希望した商品映像（データ）が表示され，さらに，店Ａでのその商品に関する現在の情報，また，店Ａの競合店である店Ｂおよび店Ｃでのその商品に関する現在の情報が表示される。
【００７６】
以上のように，ユーザが参照要求を出したのは，過去にユーザ自身が店Ａで撮影した商品映像（データ）だけであるが，そのユーザ自身が撮影した商品映像（データ）とは別に，現在のその店Ａでの商品の情報（現在の価格等）や，その商品を扱う競合店Ｂ，店Ｃでの現在の商品の情報（現在の価格等）などが同時に提供され，ユーザ端末の液晶ディスプレイに表示される。
【００７７】
このようにして，ユーザが要求した過去のデータに関連した，現時点における最新情報が同時に提供されることによって，商品購入などのために必要な最新情報が自動的にユーザのもとに提供される。
【００７８】
〔実施例２〕
本実施例２では，ユーザがある店Ａで写真画像（データ）を作成する場合の例，作成された写真画像（データ）を参照する場合の例，作成された写真画像（データ）を変更する場合の例を説明する。なお，参照する場合の例では，参照により写真画像（データ）に付帯する情報が書き換えられる部分のみを示し，実際に参照する部分は前述の実施例１と同様であるので，本実施例２では省略する。
【００７９】
図１０は，本実施例２におけるデータ作成の一連の手順を示すフローチャートである。まず，ユーザは，ユーザ端末でデータを作成する（ステップＳ２０）。例えば，ユーザがある店Ａで見つけた商品を，後の購入の参考にするために写真画像として記録しておく場合を想定する。ユーザは，店Ａにおいて，カメラ付き携帯電話（ユーザ端末）でその商品の外観，価格，バーコードなどを撮影する。このとき，ユーザ端末は，画像認識機能などの技術を利用し，例えば，バーコード画像や価格画像からその数値データを作成したりする。
【００８０】
ユーザ端末は，位置測定装置からデータが作成された場所の緯度・経度などの位置情報を取得する（ステップＳ２１）。例えば，携帯電話（ユーザ端末）に付属するＧＰＳ（位置測定装置）などにより，商品の写真画像を撮影した店Ａの緯度・経度（位置情報）を取得する。
【００８１】
ユーザ端末は，近距離通信手段などにより，データを作成した場所の名前などを取得する（ステップＳ２２）。例えば，ユーザ端末は，Ｂｌｕｅｔｏｏｔｈや無線ＬＡＮのような近距離通信手段により，商品の写真画像（データ）を撮影した店Ａが提供するサーバから，店Ａの名前などを取得する。
【００８２】
ユーザ端末は，現在時刻（データを作成した時刻）を取得する（ステップＳ２３）。例えば，携帯電話（ユーザ端末）の内蔵時計などにより，商品の写真映像（データ）を撮影した現在時刻を取得する。
【００８３】
ユーザ端末は，作成されたデータに，作成された場所の位置情報および各種付帯情報を付加し，それを端末通信部を通してデータ管理部に送る（ステップＳ２４）。例えば，店Ａで撮影された商品の写真画像（データ）に，店Ａの位置情報（作成された場所の位置情報）や，価格・バーコードなどの情報（各種付帯情報），店Ａの店名（各種付帯情報），撮影された時刻情報（各種付帯情報）などを付加し，それを端末通信部を通して，インターネット上のデータ管理サーバ（データ管理部）に送る。
【００８４】
データ管理部は，ユーザ端末から受け取ったデータとそれに付帯する位置情報および各種付帯情報を，データ記憶部に記憶する（ステップＳ２５）。例えば，データ管理サーバ（データ管理部）は，ユーザ端末から受け取った写真画像（データ）とそれに付帯する撮影場所（店Ａ）の位置情報，写真画像に写っている商品の価格・バーコードなどの情報，店Ａの名前，撮影された時刻情報などを，データ記憶部に記憶する。
【００８５】
図１１は，本実施例２におけるデータ参照の一連の手順を示すフローチャートである。まず，ユーザは，参照したいデータを，フィルタリング済サービス情報と共に，ユーザ端末に呼び出す（ステップＳ３０）。例えば，ユーザは，前述の実施例１と同様の手順で，店Ａで撮影した商品の写真画像（データ）をユーザ端末に呼び出す。このとき，例えば，店Ａのその商品の現在の情報や，店Ａの競合店である店Ｂ，店Ｃのその商品の現在の情報などが，フィルタリング済サービス情報として同時に呼び出される。
【００８６】
ユーザ端末は，位置測定装置から現在いる場所（データの参照を行った場所）の緯度・経度などの位置情報を取得する（ステップＳ３１）。例えば，携帯電話（ユーザ端末）に付属するＧＰＳ（位置測定装置）などにより，商品の写真画像（データ）の参照を行った場所の緯度・経度（位置情報）を取得する。
【００８７】
ユーザ端末は，現在時刻（データを参照した時刻）を取得する（ステップＳ３２）。例えば，携帯電話（ユーザ端末）の内蔵時計などにより，商品の写真映像（データ）を参照した現在時刻を取得する。
【００８８】
ユーザ端末は，データを示すファイル名と，データを参照した現在位置の情報と，データを参照した現在時刻の情報とを，端末通信部を通してデータ管理部に送る（ステップ３３）。例えば，ユーザ端末は，参照した写真画像（データ）のファイル名と，写真画像（データ）を参照した場所（現在位置）の情報と，写真画像（データ）を参照した時刻（現在時刻）の情報とを，端末通信部を通してインターネット上のデータ管理サーバ（データ管理部）に送る。
【００８９】
データ管理部は，ユーザ端末から受け取ったデータのファイル名をもとに，データ記憶部からデータを引き出し，データを参照した場所の位置情報やデータを参照したときの時刻情報を引き出したデータに付加し，それをデータ記憶部に記録する（ステップＳ３４）。例えば，データ管理サーバ（データ管理部）は，ユーザ端末から参照した写真画像（データ）のファイル名を受け取り，そのファイル名でデータ記憶部の写真画像（データ）を引き出す。引き出した写真画像（データ）に，ユーザ端末から送られた写真画像（データ）を参照した場所（現在位置）の情報と，写真画像（データ）を参照した時刻（現在時刻）の情報とを付加し，再びデータ記憶部に記録する。
【００９０】
図１２は，本実施例２におけるデータ変更の一連の手順を示すフローチャートである。まず，ユーザは，変更したいデータを，フィルタリング済サービス情報と共に，ユーザ端末に呼び出す（ステップＳ４０）。例えば，ユーザは，前述の実施例１と同様の手順で，店Ａで撮影した商品の写真画像（データ）をユーザ端末に呼び出す。このとき，例えば，店Ａのその商品の現在の情報や，店Ａの競合店である店Ｂ，店Ｃのその商品の現在の情報などが，フィルタリング済サービス情報として同時に呼び出される。
【００９１】
ユーザは，様々な更新操作により，ユーザ端末に呼び出したデータの内容を更新する（ステップ４１）。例えば，ユーザは，ユーザ端末に呼び出した写真画像（データ）に対し，その一部分を切り出したり鮮明化したりなどの画像処理を施したり，ペン入力手段を用いて文字や図を書き込んだりする。
【００９２】
ユーザ端末は，位置測定装置から現在いる場所（データの更新を行った場所）の緯度・経度などの位置情報を取得する（ステップＳ４２）。例えば，携帯電話（ユーザ端末）に付属するＧＰＳ（位置測定装置）などにより，商品の写真画像（データ）の更新を行った場所の緯度・経度（位置情報）を取得する。
【００９３】
ユーザ端末は，現在時刻（データを更新した時刻）を取得する（ステップＳ４３）。例えば，携帯電話（ユーザ端末）の内蔵時計などにより，商品の写真映像（データ）を更新した現在時刻を取得する。
【００９４】
ユーザ端末は，ユーザによって変更が加えられたデータとそのデータを示すファイル名と，データを更新した現在位置の情報と，データを更新した現在時刻の情報とを，端末通信部を通してデータ管理部に送る（ステップ４４）。例えば，ユーザ端末は，ユーザが更新した写真画像（データ）とそのファイル名と，写真画像（データ）を更新した場所（現在位置）の情報と，写真画像（データ）を更新した時刻（現在時刻）の情報とを，端末通信部を通してインターネット上のデータ管理サーバ（データ管理部）に送る。
【００９５】
データ管理部は，ユーザ端末から受け取ったデータのファイル名をもとに，データ記憶部からデータを引き出し，その引き出したデータをユーザが更新したデータに置き換え，さらにデータを更新した場所の位置情報やデータを更新したときの時刻情報を引き出したデータに付加し，それをデータ記憶部に記録する（ステップＳ４５）。例えば，データ管理サーバ（データ管理部）は，ユーザ端末から更新した写真画像（データ）のファイル名を受け取り，そのファイル名でデータ記憶部の写真画像（データ）を引き出す。引き出した写真画像（データ）を，ユーザが更新した写真画像（データ）に置き換え，その置き換えた写真画像（データ）にユーザ端末から送られた写真画像（データ）を参照した場所（現在位置）の情報と，写真画像（データ）を参照した時刻（現在時刻）の情報とを付加し，それをデータ記憶部に記録する。
【００９６】
【発明の効果】
以上説明したように，本発明では，ユーザが日々接する様々な事物をメモ目的で写真や文字や音声などのデータとして電子的な記憶装置に記録し，後に必要な時にそのデータを参照する際に，そのデータに関連するサービス情報を自動的に提供することによって，そのメモ目的のデータの価値を単なるメモ以上のものに高めることができる。特に，提示するサービス情報を絞り込み，ユーザにとって好ましい適切なサービス情報を提供することが可能になる。
【００９７】
例えば，商品やサービスの内容や価格などの情報を記録しておき，後にその情報を参照する際に，記録した過去の時点の情報だけではなく，参照する現在の時点の情報を同時に表示することができる。
【図面の簡単な説明】
【図１】本実施の形態１におけるサービス情報提供システムの構成例を示す図である。
【図２】本実施の形態１におけるサービス情報の例を示す図である。
【図３】本実施の形態１におけるデータとデータに付帯する位置情報の例を示す図である。
【図４】本実施の形態１におけるユーザがデータを参照している画面の例を示す図である。
【図５】本実施の形態２におけるサービス情報提供システムの構成例を示す図である。
【図６】本実施の形態２におけるデータとデータに付帯する位置情報および各種付帯情報の例を示す図である。
【図７】本実施の形態３におけるサービス情報提供システムの構成例を示す図である。
【図８】本実施の形態３におけるユーザがデータを参照している画面の例を示す図である。
【図９】本実施例１におけるサービス情報提供の一連の手順を示すフローチャートである。
【図１０】本実施例２におけるデータ作成の一連の手順を示すフローチャートである。
【図１１】本実施例２におけるデータ参照の一連の手順を示すフローチャートである。
【図１２】本実施例２におけるデータ変更の一連の手順を示すフローチャートである。
【図１３】従来の技術におけるサービス情報提供方法の例を説明する図である。
【符号の説明】
１，２，３　サービス情報提供システム
１０，２０，３０　ユーザ端末
１１，２１，３１　端末通信部
１２，２２，３２　サービス情報フィルタリング部
１３，２３，３３　サービス情報提供部
１４，２４，３４　データ管理部
１５，２５，３５　データ記憶部
３６　位置測定装置
１００，２００，３００　データ参照要求
１０１，２０１，３０１　データ
１０２，２０２，３０２　位置情報
１０３，２０３，３０３　サービス情報
１０４，２０４，３０４　フィルタリング済サービス情報
２０５　各種付帯情報
３０６　現在位置情報
【図１】
2004078385.tif 000003
【図２】
2004078385.tif 000004
【図３】
2004078385.tif 000005
【図４】
2004078385.tif 000006
【図５】
2004078385.tif 000007
【図６】
2004078385.tif 000008
【図７】
2004078385.tif 000009
【図８】
2004078385.tif 000010
【図９】
2004078385.tif 000011
【図１０】
2004078385.tif 000012
【図１１】
2004078385.tif 000013
【図１２】
2004078385.tif 000014
【図１３】
2004078385.tif 000015